Podtech/llm-jp-corpus-v4-ja_patent huggingface dataset:
【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
植物において、少なくとも１つのＰＦ００６３２によるＰｆａｍ  ＨＥＣＴドメインおよび少なくとも１つのモデルＳＳＦ４８３７１によるスーパーファミリーＡＲＭリピートを含むアミノ酸配列を含むＵＰＬタンパク質の発現を障害し、任意選択で前記植物を再生産する工程を含む、植物の耐乾燥性を対照植物と比較して改善する方法。
【請求項２】
植物、植物細胞または植物プロトプラストにおいて、配列番号２のアミノ酸配列との少なくとも３０％の同一性を含むアミノ酸配列を含む機能性ＵＰＬ３タンパク質の発現を障害し、任意選択で植物を再生産する工程を含む、植物の耐乾燥性を対照植物と比較して改善する方法。
【請求項３】
前記機能性ＵＰＬ３タンパク質が、少なくとも１つのＰＦ００６３２によるＰｆａｍ  ＨＥＣＴドメインおよび少なくとも１つのモデルＳＳＦ４８３７１によるスーパーファミリーＡＲＭリピートを含むアミノ酸配列を含む、請求項２に記載の方法。
【請求項４】
前記機能性ＵＰＬ３タンパク質が、破壊された内在性ＵＰＬ３遺伝子を有するシロイヌナズナＴ−ＤＮＡ挿入株において発現させたときに、破壊された内在性ＵＰＬ３遺伝子を有する前記シロイヌナズナＴ−ＤＮＡ挿入株であって、前記機能性ＵＰＬ３タンパク質が発現していない株の耐乾燥性と比較して、耐乾燥性が障害された植物をもたらすタンパク質である、請求項２または３に記載の方法。
【請求項５】
植物、植物細胞または植物プロトプラストにおいて、少なくとも１つのＰＦ００６３２によるＰｆａｍ  ＨＥＣＴドメインおよび少なくとも１つのモデルＳＳＦ４８３７１によるスーパーファミリーＡＲＭリピートを有するアミノ酸配列を含む機能性ＵＰＬ３タンパク質の発現を障害し、任意選択で植物を再生産する工程を含む、植物の耐乾燥性を対照植物と比較して改善する方法。
【請求項６】
配列番号１の核酸配列と少なくとも６０％の同一性を有する核酸配列を含む核酸配列によりコードされる機能性ＵＰＬ３タンパク質の発現を障害し、任意選択で植物を再生産する工程を含む、植物の耐乾燥性を対照植物と比較して改善する方法。
【請求項７】
前記機能性ＵＰＬ３タンパク質が、破壊された内在性ＵＰＬ３遺伝子を有するシロイヌナズナＴ−ＤＮＡ挿入株において発現させたときに、破壊された内在性ＵＰＬ３遺伝子を有する前記シロイヌナズナＴ−ＤＮＡ挿入株であって、前記機能性ＵＰＬ３タンパク質が発現していない株の耐乾燥性と比較して、耐乾燥性が障害された植物をもたらすタンパク質である、請求項５または６に記載の方法。
【請求項８】
機能性ＵＰＬ３タンパク質の発現を障害する前記工程が、前記機能性ＵＰＬ３タンパク質をコードする核酸配列に変異導入することを含む、請求項２〜７のいずれか一項に記載の方法。
【請求項９】
前記核酸配列に変異導入することが、少なくとも１つのヌクレオチドの挿入、欠失および／または置換を伴う、請求項８に記載の方法。
【請求項１０】
発現を障害する前記工程が、遺伝子サイレンシングを含む、請求項１〜８のいずれか一項に記載の方法。
【請求項１１】
前記植物において２つ以上の機能性ＵＰＬ３タンパク質の発現を障害する工程を含む、請求項２〜１０のいずれか一項に記載の方法。
【請求項１２】
改善した耐乾燥性を有する植物から、植物を再生産するまたは植物性産物を作製する工程をさらに含む、請求項１〜１１のいずれか一項に記載の方法。
【請求項１３】
シロイヌナズナ種以外の植物種における耐乾燥性のスクリーニングにおける、前記シロイヌナズナ種以外の植物種の、シロイヌナズナの配列番号１の核酸配列を有するＵＰＬ３に類似する核酸配列の使用であって、
−シロイヌナズナ種以外の植物細胞または植物の異型遺伝子性集団（ｈｅｔｅｒｏｇｅｎｉｃ  ｐｏｐｕｌａｔｉｏｎ）を提供する工程、
−配列番号１を有するシロイヌナズナ種のＵＰＬ３配列と類似する、前記シロイヌナズナ種以外の植物種のＵＰＬ３配列を提供する工程、
−前記シロイヌナズナ種以外の植物種の植物細胞または植物のＵＰＬ３遺伝子の少なくとも一部の配列を判定する工程、
−前記シロイヌナズナ種以外の植物種の植物細胞または植物に由来する、判定されたＵＰＬ３配列を、提供されたＵＰＬ３配列と比較する工程、
−前記ＵＰＬ３配列が、提供されたＵＰＬ３配列と比較して変異を含む、前記シロイヌナズナ種以外の植物種の植物細胞または植物を同定する工程
を含む使用。
【請求項１４】
シロイヌナズナ植物における耐乾燥性のスクリーニングにおける、配列番号１のＵＰＬ３核酸配列の使用であって、
−シロイヌナズナ種の植物細胞または植物の異型遺伝子性集団（ｈｅｔｅｒｏｇｅｎｉｃ  ｐｏｐｕｌａｔｉｏｎ）を提供する工程、
−配列番号１を有するＵＰＬ３配列を提供する工程、
−植物細胞または植物のＵＰＬ３遺伝子の少なくとも一部の配列を判定する工程、
−植物細胞または植物に由来する判定されたＵＰＬ３配列を、提供されたＵＰＬ３配列と比較する工程、
−前記ＵＰＬ３配列が、配列番号１を有するＵＰＬ３配列と比較して変異を含む、植物細胞または植物を同定する工程
を含む使用。
【請求項１５】
機能性ＵＰＬ３タンパク質が、破壊された内在性ＵＰＬ３遺伝子を有するシロイヌナズナＴ−ＤＮＡ挿入株において発現させたときに、乾燥ストレス条件下で成長するために、破壊された内在性ＵＰＬ３遺伝子を有する前記シロイヌナズナＴ−ＤＮＡ挿入株であって、前記機能性ＵＰＬ３タンパク質が発現していない株の耐乾燥性と比較して、耐乾燥性が障害された植物をもたらすタンパク質であり、前記乾燥ストレス条件により、前記機能性ＵＰＬ３タンパク質の発現が障害されていない対照植物、植物細胞または植物性産物が、機能性ＵＰＬ３タンパク質の発現が障害された植物、植物細胞、または植物性産物よりも早く乾燥ストレスの徴候、たとえばしおれの徴候を示す、機能性ＵＰＬ３タンパク質の発現が障害された植物、植物細胞、または植物性産物の使用。
【請求項１６】
機能性ＵＰＬ３タンパク質が、破壊された内在性ＵＰＬ３遺伝子を有するシロイヌナズナＴ−ＤＮＡ挿入株において発現させたときに、破壊された内在性ＵＰＬ３遺伝子を有する前記シロイヌナズナＴ−ＤＮＡ挿入株であって、前記機能性ＵＰＬ３タンパク質が発現していない株の耐乾燥性と比較して、耐乾燥性が障害された植物をもたらすタンパク質である、機能性ＵＰＬ３タンパク質の発現が障害されたトマト、リクチメン、ダイズ、コムギ属種、オオムギ、エンバク、モロコシ、ライムギ、またはセイヨウアブラナ植物、植物細胞、または植物性産物。
【請求項１７】
破壊された内在性ＵＰＬ３遺伝子を含む、請求項１６に記載のトマト、リクチメン、ダイズ、コムギ属種、オオムギ、エンバク、モロコシ、ライムギ、またはセイヨウアブラナ植物、植物細胞、または植物性産物。
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
容量性マイクロマシン・トランスデューサを製造する方法において、
基板上に第１の電極層を堆積させるステップと、
第１の電極層上に第１の誘電体膜を堆積させるステップと、
第１の誘電体膜上に犠牲層を堆積させるステップであって、前記犠牲層が、トランスデューサのキャビティを形成するため除去可能である、ステップと、
前記犠牲層上に第２の誘電体膜を堆積させるステップと、
前記第２の誘電体膜上に第２の電極層を堆積させるステップとを有し、
前記第１の誘電体膜及び／又は前記第２の誘電体膜が、酸化物を含む第１の層と、８以上の誘電率を有する高ｋ物質を含む第２の層と、酸化物を含む第３の層とを有し、
前記第２の層が前記第１の層と前記第３の層との間にはさまれ、前記堆積させるステップが、原子層堆積により実行される、方法。
【請求項２】
前記高ｋ物質が、酸化アルミニウム及び／又は酸化ハフニウムである、請求項１に記載の方法。
【請求項３】
前記第２の層が、酸化アルミニウムを含む第１の副層と、酸化ハフニウムを含む第２の副層と、酸化アルミニウムを含む第３の副層とを有する、請求項１に記載の方法。
【請求項４】
前記堆積層及び膜の少なくとも１つをパターン化するステップを更に有する、請求項１に記載の方法。
【請求項５】
前記堆積層及び膜を覆う誘電体層を堆積させるステップを更に有する、請求項１に記載の方法。
【請求項６】
エッチング穴を提供し、前記キャビティを形成するため前記犠牲層をエッチングすることにより、前記犠牲層を除去するステップを更に有する、請求項１に記載の方法。
【請求項７】
請求項１の方法により製造される容量性マイクロマシン・トランスデューサ。
【請求項８】
容量性マイクロマシン・トランスデューサであって、
基板上の第１の電極層と、
前記第１の電極層上の第１の誘電体膜と、
前記第１の誘電体膜上に形成されるキャビティと、
前記キャビティを覆う第２の誘電体膜と、
前記第２の誘電体膜上の第２の電極層とを有し、
前記第１の誘電体膜及び／又は前記第２の誘電体膜が、酸化物を含む第１の層と、８以上の誘電率を有する高ｋ物質を含む第２の層と、酸化物を含む第３の層とを有し、前記第２の層が前記第１の層と前記第３の層との間にはさまれる、容量性マイクロマシン・トランスデューサ。
【請求項９】
前記高ｋ物質が、酸化アルミニウム及び／又は酸化ハフニウムである、請求項８に記載のトランスデューサ。
【請求項１０】
前記第２の層が、酸化アルミニウムを含む第１の副層と、酸化ハフニウムを含む第２の副層と、酸化アルミニウムを含む第３の副層とを有する、請求項９に記載のトランスデューサ。
【請求項１１】
前記第２の層が、１００ｎｍ以下の厚みを持つ、請求項８に記載のトランスデューサ。
【請求項１２】
前記第１の誘電体膜及び／又は前記第２の誘電体膜が、処理残留物を有する、請求項８に記載のトランスデューサ。
【請求項１３】
前記第１の電極層及び／又は前記第２の電極層が、非金属導電材料を有する、請求項８に記載のトランスデューサ。
【請求項１４】
前記非金属導電材料が、ＴｉＮ、ＴａＮ、ＴａＣＮ、Ｉｒ０２、ＩＴＯ、ＬａＮｉ０３及びＳｒＲｕ０３を有するグループから選択される少なくとも１つの物質である、請求項１３に記載のトランスデューサ。
【請求項１５】
前記堆積層及び膜を覆う誘電体層を更に有し、前記誘電体層が、前記堆積層及び膜の上部表面及び側面表面を基本的に同じ被覆で覆う、請求項８に記載のトランスデューサ。
【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
無線通信システムにおける少なくとも２個の基地局との接続をサポートするユーザ装置（ＵＥ）にマスター基地局がサービスを提供する方法であって、
ＵＥと第１の接続を維持するステップと、
前記ＵＥから報告された測定値に基づいて、前記ＵＥにサービスを提供できる少なくとも一つの追加メンバー基地局が存在するか否かを決定するステップと、
前記ＵＥに、前記少なくとも一つの追加メンバー基地局に関連する情報を送信するステップとを含むことを特徴とする方法。
【請求項２】
前記ＵＥに接続された前記少なくとも一つの追加メンバー基地局と第２の接続を維持するステップと、
前記少なくとも一つのメンバー基地局に制御信号を送信するステップをさらに含むことを特徴とする請求項１に記載の方法。
【請求項３】
マスター基地局及び前記ＵＥに接続された前記少なくとも一つの追加メンバー基地局の各々は、相異なる役割を遂行することを特徴とする請求項１に記載の方法。
【請求項４】
前記ＵＥにマスター基地局として動作を提供する間、少なくとも２個の基地局との接続をサポートする他のＵＥにメンバー基地局として動作を提供するステップをさらに含むことを特徴とする請求項１に記載の方法。
【請求項５】
無線通信システムにおける少なくとも２個の基地局との接続をサポートするユーザ装置（ＵＥ）にメンバー基地局がサービスを提供する方法であって、
ＵＥに接続されたマスター基地局と制御信号のための第１の接続を維持するステップと、
前記マスター基地局から前記制御信号を受信するステップと、
前記ＵＥに第２の接続を設定するステップと、
前記ＵＥにデータを送信するステップとを含むことを特徴とする方法。
【請求項６】
前記マスター基地局及び前記ＵＥに接続されたメンバー基地局の各々は、相異なる役割を遂行することを特徴とする請求項５に記載の方法。
【請求項７】
前記ＵＥにメンバー基地局として動作を提供する間、少なくとも２個の基地局との接続をサポートする他のＵＥにマスター基地局として動作を提供するステップをさらに含むことを特徴とする請求項５に記載の方法。
【請求項８】
無線通信システムにおける少なくとも２個の基地局との接続をサポートするユーザ装置（ＵＥ）の方法であって、
マスター基地局に測定値を報告するステップと、
前記マスター基地局から少なくとも一つの追加メンバー基地局に関連する情報を受信するステップと、
前記少なくとも一つの追加メンバー基地局と第１の接続を設定するステップと、
前記少なくとも一つの追加メンバー基地局と前記マスター基地局に通信するステップと、を含み、
前記少なくとも一つの追加メンバー基地局と設定された前記第１の接続は、前記測定値に基づいて決定されることを特徴とする方法。
【請求項９】
前記マスター基地局及びＵＥに接続された少なくとも一つのメンバー基地局の各々は、相異なる役割を遂行することを特徴とする請求項８に記載の方法。
【請求項１０】
前記少なくとも一つの追加メンバー基地局と前記マスター基地局間に第２の接続が維持され、前記マスター基地局の制御信号が前記少なくとも一つの追加メンバー基地局に送信されることを特徴とする請求項８に記載の方法。
【請求項１１】
前記少なくとも一つの追加メンバー基地局が前記ＵＥにメンバー基地局として動作を提供する間、少なくとも２個の基地局との接続をサポートする他のＵＥにマスター基地局として動作を提供することを特徴とする請求項８に記載の方法。
【請求項１２】
無線通信システムにおける少なくとも２個の基地局との接続をサポートするユーザ装置（ＵＥ）にサービスを提供するマスター基地局であって、
ＵＥと第１の接続を維持し、前記ＵＥから報告された測定値に基づいて、前記ＵＥにサービスを提供できる少なくとも一つの追加メンバー基地局が存在するか否かを決定する制御部と、
前記ＵＥに前記少なくとも一つの追加メンバー基地局に関連する情報を送信する送受信部とを含むことを特徴とするマスター基地局。
【請求項１３】
前記制御部は、
前記ＵＥに接続された前記少なくとも一つの追加メンバー基地局と第２の接続を維持し、前記少なくとも一つのメンバー基地局に制御信号を送信するように前記送受信部を制御することを特徴とする請求項１２に記載のマスター基地局。
【請求項１４】
マスター基地局及び前記ＵＥに接続された前記少なくとも一つの追加メンバー基地局の各々は、相異なる役割を遂行することを特徴とする請求項１２に記載のマスター基地局。
【請求項１５】
前記制御部は、前記ＵＥにマスター基地局として動作を提供する間、少なくとも２個の基地局との接続をサポートする他のＵＥにメンバー基地局として動作を提供することを特徴とする請求項１２に記載のマスター基地局。
【請求項１６】
無線通信システムにおける少なくとも２個の基地局との接続をサポートするユーザ装置（ＵＥ）にサービスを提供するメンバー基地局であって、
ＵＥに接続されたマスター基地局と制御信号のための第１の接続を維持し、前記ＵＥに第２の接続を設定する制御部と、
前記マスター基地局から前記制御信号を受信し、前記ＵＥにデータを送信する送受信部とを含むことを特徴とするメンバー基地局。
【請求項１７】
前記マスター基地局及び前記ＵＥに接続されたメンバー基地局の各々は、相異なる役割を遂行することを特徴とする請求項１６に記載のメンバー基地局。
【請求項１８】
前記制御部は、前記ＵＥにメンバー基地局として動作を提供する間、少なくとも２個の基地局との接続をサポートする他のＵＥにマスター基地局として動作を提供することを特徴とする請求項１６に記載のメンバー基地局。
【請求項１９】
無線通信システムにおける少なくとも２個の基地局との接続をサポートするユーザ装置（ＵＥ）であって、
マスター基地局に測定値を報告し、前記マスター基地局から少なくとも一つの追加メンバー基地局に関連する情報を受信する送受信部と、
前記少なくとも一つの追加メンバー基地局と第１の接続を設定し、前記少なくとも一つの追加メンバー基地局と前記マスター基地局に通信するように前記送受信部を制御する制御部と、を含み、
前記少なくとも一つの追加メンバー基地局と設定された前記第１の接続は、前記測定値に基づいて決定されることを特徴とするユーザ装置。
【請求項２０】
前記マスター基地局及びＵＥに接続された少なくとも一つのメンバー基地局の各々は、相異なる役割を遂行することを特徴とする請求項１９に記載のユーザ装置。
【請求項２１】
前記少なくとも一つの追加メンバー基地局と前記マスター基地局間に第２の接続が維持され、前記マスター基地局の制御信号が前記少なくとも一つの追加メンバー基地局に送信されることを特徴とする請求項１９に記載のユーザ装置。
【請求項２２】
前記少なくとも一つの追加メンバー基地局が前記ＵＥにメンバー基地局として動作を提供する間、少なくとも２個の基地局との接続をサポートする他のＵＥにマスター基地局として動作を提供することを特徴とする請求項１９に記載のユーザ装置。
【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
医療用ロボットシステムであって、
一つ以上の入力装置、
第一のマニピュレータ、及び
第一の操作モードでの操作を一意的に特定する区別動作で前記一つ以上の入力装置が操縦されたことを確認することによって、当該医療用ロボットシステムの操作を、当該医療用ロボットシステムの前の操作モードから当該医療用ロボットシステムの前記第一の操作モードに変更するように構成されたプロセッサであり、前記第一の操作モードは、前記一つ以上の入力装置が前記第一のマニピュレータを制御する操作モードである、プロセッサ、
を有する、システム。
【請求項２】
モードスイッチを更に有し、該モードスイッチの起動は、当該医療用ロボットシステムの前の操作モードを変更できることを示し、
前記プロセッサは、前記モードスイッチが起動され、前記区別動作で前記一つ以上の入力装置が操縦されたことを確認した後に、当該医療用ロボットシステムの前記前の操作モードを前記第一の操作モードに変更するように構成されている、
請求項１記載のシステム。
【請求項３】
前記プロセッサは、前記モードスイッチが起動停止されていることに基づいて、当該医療用ロボットシステムの操作モードを前記第一の操作モードから前記前の操作モードに変更するように構成されている、請求項２記載のシステム。
【請求項４】
前記プロセッサは、前記モードスイッチが起動解除され、次いで再起動された後に、当該医療用ロボットシステムの操作モードを前記第一の操作モードから前記前の操作モードに変更するように構成されている、請求項２記載のシステム。
【請求項５】
前記プロセッサは、前記前の操作モードでの操作を一意的に特定する区別動作で前記一つ以上の入力装置が操縦されたことを確認することによって、当該医療用ロボットシステムの操作を前記第一の操作モードから前記前の操作モードに変更するように構成されている、請求項２記載のシステム。
【請求項６】
前記プロセッサは、前記第一の操作モードを区別する前記一つ以上の入力装置の操縦が閾値に到達したことを確認した後に、前記第一の操作モードに変更するように構成されている、請求項１記載のシステム。
【請求項７】
前記プロセッサは、前記一つ以上の入力装置の操作者への感覚フィードバックを生じさせるように構成されており、前記感覚フィードバックは、前記区別動作での前記一つ以上の入力装置の操縦が前記閾値に接近している時を示し、前記感覚フィードバックは、触覚フィードバック、視覚フィードバック又は音声フィードバックである、請求項６記載のシステム。
【請求項８】
前記プロセッサは、前記第一の操作モードを区別する前記一つ以上の入力装置の前記操縦が前記閾値に接近するにつれて強度を増すように、感覚フィードバックを前記一つ以上の入力装置上に生じさせるように構成されており、前記感覚フィードバックは、触覚フィードバック、視覚フィードバック又は音声フィードバックである、請求項６記載のシステム。
【請求項９】
ディスプレイを更に有し、
前記プロセッサは、一つ以上のグラフィカルな指示を前記ディスプレイ上に表示させるように構成されており、前記グラフィカルな指示又はそれぞれのグラフィカルな指示は、前記区別動作を示す、
請求項１記載のシステム。
【請求項１０】
第二のマニピュレータを更に有し、
前記プロセッサは、第二の操作モードでの操作を一意的に特定する区別動作で前記一つ以上の入力装置が操縦されたことを確認することによって、当該医療用ロボットシステムの操作を、前記前の操作モード又は前記第一の操作モードから当該医療用ロボットシステムの前記第二の操作モードに変更するように構成されており、前記第二の操作モードは、前記一つ以上の入力装置が前記第二のマニピュレータを制御する操作モードである、
請求項１記載のシステム。
【請求項１１】
前記一つ以上の入力装置は一対の入力装置を含み、
前記第一の操作モードでの操作を一意的に特定する前記区別動作は、前記一対の入力装置の両方が操縦される動作であり、
前記第二の操作モードでの操作を一意的に特定する前記区別動作は、前記一対の入力装置の一方のみが操縦される動作である、
請求項１０記載のシステム。
【請求項１２】
前記第一のマニピュレータによって操縦されるエントリーガイド、及び
前記第二のマニピュレータによって操縦される多関節のカメラ器具であり、該カメラ器具は前記エントリーガイドを通って延びる、カメラ器具、
を更に有し、
当該医療用ロボットシステムの前記第一の操作モードでの操作は、前記一つ以上の入力装置のうちの第一の装置及び第二の装置の操作によって制御され、
当該医療用ロボットシステムの前記第二の操作モードでの操作は、前記一つ以上の入力装置のうちの前記第一の装置のみの操作によって制御される、
請求項１０記載のシステム。
【請求項１３】
遠位端部を有する多関節の手術器具を更に有し、
前記プロセッサは、当該医療用ロボットシステムの操作が前記第一の操作モードである場合に、固定された基準座標系に対して所定の位置に、前記手術器具の前記遠位端部を保持するように構成されている、
請求項１記載のシステム。
【請求項１４】
医療用ロボットシステムの作動方法であり、
プロセッサが、前記医療用ロボットシステムの第一の操作モードでの前記医療用ロボットシステムの操作を一意的に特定する区別動作で、前記医療用ロボットシステムの一つ以上の入力装置が操縦されたかどうかを確認するステップ、及び
前記一つ以上の入力装置が前記区別動作で操縦されたことを確認した場合に、前記プロセッサが、前記医療用ロボットシステムの操作を前の操作モードから前記第一の操作モードに変更するステップ、
を含む、作動方法。
【請求項１５】
前記プロセッサが、前記医療用ロボットシステムの第二の操作モードでの前記医療用ロボットシステムの操作を一意的に特定する第二の区別動作で、前記医療用ロボットシステムの前記一つ以上の入力装置が操縦されたどうかを確認するステップ、及び
前記一つ以上の入力装置が前記第二の区別動作で操縦されたことを確認した場合に、前記プロセッサが、前記医療用ロボットシステムの操作を前記前の操作モード又は前記第一の操作モードから第二の操作モードに変更するステップ、
を更に含む、請求項１４記載の作動方法。
【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
被験者の１つまたは複数の個人的胸部パラメータを導出する装置であって、
プロセッサと、
被験者の肺の胸部体内領域からＥＭ信号ビームの複数の測定結果を受け取る第１のインターフェースであって、前記ＥＭ信号ビームの複数の測定結果はそれぞれ前記被験者の胸郭容積の操作中の異なる時点を反映する、第１のインターフェースと、
複数の胸郭容積値を受け取る第２のインターフェースであって、前記複数の胸郭容積値はそれぞれ前記被験者の胸郭容積の操作中の異なる時点を反映する、第２のインターフェースと、
前記プロセッサを使用して、前記複数のＥＭ測定結果および前記複数の胸郭容積値を使用して少なくとも１つの個人的胸部パラメータを計算する個人的胸部パラメータ・モジュールと、
を備える装置。
【請求項２】
前記第１のインターフェースは、被験者から、後に行われる複数のＥＭ測定結果を捕捉する少なくとも１つのアンテナを有するプローブと、前記少なくとも１つの個人的胸部パラメータと組み合わせて前記後に行われる複数のＥＭ測定結果を解析することによって胸郭体液を監視する胸部解析ユニット・モジュールと、に関連付けられている、
請求項１に記載の装置。
【請求項３】
前記第２のインターフェースは、前記複数の胸郭容積値を受け取るために、前記被験者の呼吸気流の少なくとも１つを測定する機器に関連付けられている、
請求項１に記載の装置。
【請求項４】
前記プロセッサは、前記複数の胸郭容積値の測定と相関付けられた状態で前記胸郭容積の操作をどのように行うかを指示する命令を与える提示ユニットに関連付けられている、  請求項１に記載の装置。
【請求項５】
前記少なくとも１つの個人的胸部パラメータおよび前記被験者の内部組織から受け取られる電磁（ＥＭ）放射に関するデータに応じて、１つまたは複数の臨床パラメータを導出するように構成された処理ユニットを備える、
請求項１に記載の装置。
【請求項６】
被験者の１つまたは複数の個人的胸部パラメータを導出する方法であって、
少なくとも１つの胸郭容積の操作を行っている被験者の肺の胸部体内領域から複数のＥＭ信号ビームの複数のＥＭ測定結果を受け取るステップと、
前記複数のＥＭ測定結果に対応する複数の胸郭容積値を導出するステップと、
前記複数のＥＭ測定結果および前記複数の胸郭容積値を使用して前記被験者の少なくとも１つの個人的胸部パラメータを導出するステップと、
を含む方法。
【請求項７】
前記複数の胸郭容積値は少なくとも前記被験者の呼吸値を含む、
請求項６に記載の方法。
【請求項８】
前記複数のＥＭ測定結果は、前記肺を監視する胸部監視装置から受け取られ、
当該方法は、前記少なくとも１つの個人的胸部パラメータの少なくとも１つを使用して胸部解析装置を較正するステップを含む、
請求項６に記載の方法。
【請求項９】
前記少なくとも１つの個人的胸部パラメータに関する情報が、胸部解析装置の較正セッション時に記憶され、前記胸部監視装置の監視セッション時に測定される複数の後のＥＭ測定結果を解析するために使用される、
請求項６に記載の方法。
【請求項１０】
前記較正するステップは、前記個人的胸部パラメータに従って胸郭の誘電モデルを更新するステップを含む、
請求項８に記載の方法。
【請求項１１】
前記少なくとも１つの個人的胸部パラメータは、心臓の大きさ、心臓の位置、脂肪層の大きさ、胸部筋肉の大きさ、胸部肋骨の大きさ、胸部肋骨の位置、肺の容積、肺の大きさ、および胸郭の大きさ、からなる群の要素を含む、
請求項６に記載の方法。
【請求項１２】
前記少なくとも１つの個人的胸部パラメータは、前記被験者の胸部組織および胸部器官のうち少なくとも１つの誘電に関連する性質を含む、
請求項６に記載の方法。
【請求項１３】
前記少なくとも１つの個人的胸部パラメータを少なくとも１つのＥＭ測定結果と組み合わせて使用して、前記被験者の少なくとも１つの臨床パラメータを導出する、
請求項６に記載の方法。
【請求項１４】
前記複数のＥＭ信号ビームは、前記肺を通過する、
請求項６に記載の方法。
【請求項１５】
前記胸郭容積の操作中に前記被験者が行う呼吸の指示を前記被験者に与えるステップをさらに含む、
請求項６に記載の方法。
【請求項１６】
前記少なくとも１つの個人的胸部パラメータを導出するステップは、前記被験者に関する１つまたは複数の人口統計学的パラメータに従って行われる、
請求項６に記載の方法。
【請求項１７】
前記少なくとも１つの個人的胸部パラメータを導出するステップは、送信信号と受信信号との測定振幅比に従って行われる、
請求項６に記載の方法。
【請求項１８】
前記少なくとも１つの臨床パラメータは、前記胸郭および／または肺組織内の水分および／または気体の量、肺組織中の水分の率、水分含有量および／または含有量の変化を示すパラメータ、および／または肺組織中の水分の変化の率、からなる群の要素を含む、
請求項１３に記載の方法。
【請求項１９】
前記少なくとも１つの個人的胸部パラメータを導出するステップは、前記複数のＥＭ測定結果に基づいて位相ずれを計算するステップを含む、
請求項６に記載の方法。
【請求項２０】
前記少なくとも１つの個人的胸部パラメータを導出するステップは、前記肺の水分含有量を計算するステップを含む、
請求項６に記載の方法。
【請求項２１】
前記少なくとも１つの個人的胸部パラメータを導出するステップは、前記肺の奥行きを計算するステップを含む、
請求項６に記載の方法。
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
関節鏡視下での骨トンネル形成および縫合を行う装置であって、
当該装置は：
骨係合針推進アセンブリを有し、該骨係合針推進アセンブリは、骨係合針を含み、かつ、関節鏡視下の切開を通して、第一の骨位置において患者の骨と係合する、関節鏡視下での挿入に適合しており、かつ、前記骨を通過する概して弧状のトンネル形成経路に沿って、少なくとも第二の骨位置へと、前記針を前方へ推進させるように適合しており；
骨係合ピン推進アセンブリを有し、該骨係合ピン推進アセンブリは、前記骨係合針推進アセンブリに作動可能なように係合するように構成され、かつ、前記関節鏡視下の切開を通して、第三の骨位置において患者の骨と係合する、関節鏡視下での挿入に適合している、
前記関節鏡視下での骨トンネル形成および縫合を行う装置。
【請求項２】
前記骨係合ピン推進アセンブリが、それに縫合糸を取り付けるのに適合しており、かつ、前記縫合糸が前記第二の骨位置において前記針によって係合され得るように、該縫合糸を位置決めするのに適合している、請求項１に記載の関節鏡視下での骨トンネル形成および縫合を行う装置。
【請求項３】
前記骨係合針推進アセンブリはまた、前記縫合糸に係合した前記針を、前記第二の骨位置から、前記骨を通過する前記弧状のトンネル形成経路に沿って、戻して引っ込めるのに適合している、請求項２に記載の関節鏡視下での骨トンネル形成および縫合を行う装置。
【請求項４】
前記骨係合ピン推進アセンブリが、少なくとも１つの骨トンネル形成ピンを有し、該骨トンネル形成ピンは、概して直線状のトンネル形成経路に沿って前記第三の位置から前記第二の位置へと前記骨にトンネル形成するよう作動可能であり、前記第二の位置において、前記概して直線状のトンネル形成経路が前記概して弧状のトンネル形成経路と交わり、それによって、前記第二の骨位置において前記縫合糸が前記針によって係合され得るように、該縫合糸を位置決めする、請求項２または３に記載の関節鏡視下での骨トンネル形成および縫合を行う装置。
【請求項５】
前記の骨係合ピン推進アセンブリが、前記の骨係合針推進アセンブリから分離しており、かつ、該骨係合ピン推進アセンブリが、選択可能にそれに係合可能でありかつそれから脱係合可能である、請求項１〜４のいずれか一項に記載の関節鏡視下での骨トンネル形成および縫合を行う装置。
【請求項６】
前記骨係合ピン推進アセンブリが、内側のピンを有し、かつ、外側の中空のピンを有し、該外側の中空のピン内に、前記内側のピンがスライド可能に配置されている、請求項１に記載の関節鏡視下での骨トンネル形成および縫合を行う装置。
【請求項７】
前記外側の中空のピンが、尖った先端部と、貫通する孔とを持っているように形成されている、請求項６に記載の関節鏡視下での骨トンネル形成および縫合を行う装置。
【請求項８】
縫合糸が、前記内側のピンと前記外側のピンとの間で延びており、前記縫合糸が、前記貫通する孔を通して、前記針による係合が可能となるように、前記外側のピンの内側で、前記内側のピンの周りにループ状になっている、請求項７に記載の関節鏡視下での骨トンネル形成および縫合を行う装置。
【請求項９】
前記骨係合ピン推進アセンブリがまた、前方部分および後方部分を含むベースアセンブリを有し、前記内側のピンが前記後方部分に結合され、前記外側のピンが前記前方部分に結合されている、請求項７に記載の関節鏡視下での骨トンネル形成および縫合を行う装置。
【請求項１０】
前記外側の中空のピンは、また、前記縫合糸の一部を収容するための貫通する側壁スロットを持っているように形成されている、請求項８または９に記載の関節鏡視下での骨トンネル形成および縫合を行う装置。
【請求項１１】
前記縫合糸が、
前記内側のピンの前方端部と前記尖った先端部との間において、前記内側のピンの前記前方端部の周りに巻かれ、かつ、前記内側のピンと前記外側のピンとの間で延び、かつ、前記内側のピンの両側において、前記貫通するスロット内に部分的に位置している、請求項１０に記載の関節鏡視下での骨トンネル形成および縫合を行う装置。
【請求項１２】
前記ベースアセンブリが、ハウジングに対して選択可能にロック可能であり、該ハウジングは、前記骨係合針推進アセンブリの一部を取り囲んでいる、請求項９〜１１のいずれか一項に記載の関節鏡視下での骨トンネル形成および縫合を行う装置。
【請求項１３】
前記ベースアセンブリの前記前方部分および前記後方部分が、互いに対して選択可能にロック可能であり、かつ、互いに対して軸方向にスライド可能であり、それによって、前記外側のピンに対する前記内側のピンの引っ込みが制限されている、請求項９〜１２のいずれか一項に記載の関節鏡視下での骨トンネル形成および縫合を行う装置。
【請求項１４】
前記骨係合針推進アセンブリが、フレキシブルな針推進片を含み、該推進片は、前記骨を通過する前記弧状のトンネル形成経路に沿って前記骨係合針を推進する、請求項１〜１３のいずれか一項に記載の関節鏡視下での骨トンネル形成および縫合を行う装置。
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
マルチスレッドプロセッサにおけるテクスチャ復号のための方法であって、
VP8フレームの第1のマクロブロックを第1のハードウェアスレッドに、前記VP8フレームの第2のマクロブロックを第2のハードウェアスレッドに割り当てるステップと、
前記第1および第2のハードウェアスレッドによって、VP8フレームの前記第1および第2のマクロブロックのループフィルタ処理を実行することによってそれぞれ復号するステップであって、各ハードウェアスレッドが一度に少なくとも1つのマクロブロックを処理する、ステップと
を含む方法。
【請求項２】
前記第1および第2のマクロブロックが異なる行からのものである、請求項1に記載の方法。
【請求項３】
行バッファと列バッファのうちの少なくとも一方にフィルタ処理されていないピクセルを記憶するステップをさらに含む、請求項1に記載の方法。
【請求項４】
行バッファと列バッファのうちの少なくとも一方の中に前記第1および第2のマクロブロックの再構築されたピクセルを記憶するステップ
をさらに含む、請求項1に記載の方法。
【請求項５】
復号する前記ステップが、
各ハードウェアスレッドにおける1つのマクロブロックを再構築し、次いで
前記再構築されたマクロブロックをフィルタ処理するステップ
をさらに含む、請求項1に記載の方法。
【請求項６】
復号する前記ステップが、
前のマクロブロックから前記第1および第2のマクロブロックに再構築されたピクセルを行および列バッファに記憶するステップと、
前記前のマクロブロックの再構築された近隣情報を使用してフレーム内予測を実行するステップと
をさらに含む、請求項1に記載の方法。
【請求項７】
復号するステップが、前記VP8フレームの前記第1および第2のマクロブロックの各々を同時にテクスチャ復号するステップを含む、請求項1に記載の方法。
【請求項８】
携帯電話、セットトップボックス、音楽プレーヤ、ビデオプレーヤ、エンターテインメントユニット、ナビゲーションデバイス、コンピュータ、ハンドヘルドパーソナル通信システム(PCS)ユニット、ポータブルデータユニット、または固定位置データユニットのうちの少なくとも1つに前記マルチスレッドプロセッサを統合するステップをさらに含む、請求項1に記載の方法。
【請求項９】
マルチスレッドテクスチャ復号のための装置であって、
メモリと、
前記メモリに結合された少なくとも1つのマルチスレッドプロセッサであって、前記少なくとも1つのマルチスレッドプロセッサが、
P8フレームの第1のマクロブロックを第1のハードウェアスレッドに、前記VP8フレームの第2のマクロブロックを第2のハードウェアスレッドに割り当て、
前記第1および第2のハードウェアスレッドによって、VP8フレームの前記第1および第2のマクロブロックのループフィルタ処理を実行することによってそれぞれ復号するように構成され、各ハードウェアスレッドが一度に1つのマクロブロックを処理する、少なくとも1つのマルチスレッドプロセッサと
を備える装置。
【請求項１０】
前記第1および第2のマクロブロックが異なる行からのものである、請求項9に記載の装置。
【請求項１１】
前記少なくとも1つのマルチスレッドプロセッサがさらに、
行バッファと列バッファのうちの少なくとも一方にフィルタ処理されていないピクセルを記憶し、
前記行バッファと前記列バッファのうちの少なくとも一方の中に前記第1および第2のマクロブロックの再構築されたピクセルを記憶する
ようにさらに構成される、請求項9に記載の装置。
【請求項１２】
前記マルチスレッドプロセッサが、
ハードウェアスレッドにおける1つのマクロブロックを再構築し、次いで
前記再構築されたマクロブロックをフィルタ処理する
ことによって復号するようにさらに構成される、請求項9に記載の装置。
【請求項１３】
前記VP8フレームの第1および第2のマクロブロックのうちの1つのマクロブロックを前記マルチスレッドプロセッサの第1および第2のハードウェアスレッドに割り当てるように構成されるコントローラをさらに備える、請求項9に記載の装置。
【請求項１４】
前記マルチスレッドプロセッサが、デジタル信号プロセッサおよびマルチコアプロセッサのうちの一方を備える、請求項9に記載の装置。
【請求項１５】
携帯電話、セットトップボックス、音楽プレーヤ、ビデオプレーヤ、エンターテインメントユニット、ナビゲーションデバイス、コンピュータ、ハンドヘルドパーソナル通信システム(PCS)ユニット、ポータブルデータユニット、または固定位置データユニットの少なくとも1つに統合される、請求項9に記載の装置。
【請求項１６】
マルチスレッドテクスチャ復号のための装置であって、
VP8フレームの第1のマクロブロックを第1のハードウェアスレッドに、前記VP8フレームの第2のマクロブロックを第2のハードウェアスレッドに割り当てるための手段と、
前記第1および第2のハードウェアスレッドにおいて、前記VP8フレームの前記第1および前記第2のマクロブロックを復号するための手段であって、各ハードウェアスレッドが一度に1つのマクロブロックを処理し、前記復号するための手段は、前記第1および第2のマクロブロックのループフィルタ処理を実行するための手段を含む、復号するための手段と
を備える装置。
【請求項１７】
携帯電話、セットトップボックス、音楽プレーヤ、ビデオプレーヤ、エンターテインメントユニット、ナビゲーションデバイス、コンピュータ、ハンドヘルドパーソナル通信システム(PCS)ユニット、ポータブルデータユニット、または固定位置データユニットの少なくとも1つに統合される、請求項16に記載の装置。
【請求項１８】
マルチスレッドテクスチャ復号のために構成されたコンピュータプログラムであって、
VP8フレームの第1のマクロブロックを第1のハードウェアスレッドに、前記VP8フレームの第2のマクロブロックを第2のハードウェアスレッドに割り当てるためのプログラムコードと、
前記第1および第2のハードウェアスレッドによって、前記VP8フレームの前記第1および第2のマクロブロックのループフィルタ処理を実行することによって復号するためのプログラムコードであって、各ハードウェアスレッドが一度に1つのマクロブロックを処理する、プログラムコードと
を含む、コンピュータプログラム。
【請求項１９】
携帯電話、セットトップボックス、音楽プレーヤ、ビデオプレーヤ、エンターテインメントユニット、ナビゲーションデバイス、コンピュータ、ハンドヘルドパーソナル通信システム(PCS)ユニット、ポータブルデータユニット、または固定位置データユニットのうちの少なくとも1つに統合される、請求項18に記載のコンピュータプログラム。
【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
セルラー・ネットワークを介してモバイル・コンピューティング・デバイスへ送信されるデータ・トラフィックをオフロードする方法であって、
１つ又は複数の検知された無線ネットワークに対応する情報を認証プラグイン・ホストからアクティブ認証プラグインへ送信するステップであって、前記１つ又は複数の検知された無線ネットワーク及び前記アクティブ認証プラグインは、モバイル・オペレータに関連付けられている、ステップと、
１つ又は複数の好ましい無線ネットワークに対応する情報を前記認証プラグイン・ホストにおいて前記アクティブ認証プラグインから受信するステップであって、前記１つ又は複数の好ましい無線ネットワークは、前記モバイル・コンピューティング・デバイスにおいて、好ましいものとして指定されている、ステップと、
前記モバイル・コンピューティング・デバイスを前記１つ又は複数の好ましい無線ネットワークのうちの１つに接続するステップであって、前記モバイル・コンピューティング・デバイスが接続される前記１つ又は複数の好ましい無線ネットワークのうちの前記１つは、接続されている無線ネットワークであり、前記１つ又は複数の検知された無線ネットワークから選択される、ステップと、
前記の接続された無線ネットワーク上で前記モバイル・コンピューティング・デバイス又は前記モバイル・コンピューティング・デバイスのユーザーの認証要求を前記アクティブ認証プラグインへ送信するステップと、
認証が成功したことを示す情報を前記アクティブ認証プラグインから受信するステップと、
前記データ・トラフィックの少なくとも一部分を、前記の接続された無線ネットワークへオフロードするステップと、
プラグイン更新頻度を前記アクティブ認証プラグインから前記認証プラグイン・ホストへ送信するステップと、
実質的に少なくとも前記プラグイン更新頻度で前記認証プラグイン・ホストから前記アクティブ認証プラグインへプラグイン更新コマンドを送信するステップと、
を含む、方法。
【請求項２】
前記１つ又は複数の好ましい無線ネットワークに対応する前記情報は、接続順序を含む、請求項１に記載の方法。
【請求項３】
接続される前記無線ネットワークを、前記接続順序に少なくとも部分的に基づいて前記１つ又は複数の好ましい無線ネットワークから選択するステップをさらに含む、請求項２に記載の方法。
【請求項４】
前記アクティブ認証プラグインを、複数のモバイル・オペレータに関連付けられている複数の認証プラグインから選択する選択ステップをさらに含む、請求項１に記載の方法。
【請求項５】
前記選択ステップは、
前記複数の認証プラグインにクエリーを行うステップと、
肯定的に応答する最初の認証プラグインを前記アクティブ認証プラグインとして選択するステップと、
を含む、請求項４に記載の方法。
【請求項６】
前記複数の認証プラグインから別の認証プラグインを前記アクティブ認証プラグインとして選択するステップをさらに含む、請求項４に記載の方法。
【請求項７】
１つ又は複数の隠れたネットワークに関する情報を前記認証プラグイン・ホストにおいて前記アクティブ認証プラグインから受信するステップと、
前記１つ又は複数の隠れたネットワークのうちの少なくとも１つの隠れたネットワークを探してスキャンを行うステップと、
をさらに含む、請求項１に記載の方法。
【請求項８】
前記１つ又は複数の検知された無線ネットワークは、前記少なくとも１つの隠れた無線ネットワークを含む、請求項７に記載の方法。
【請求項９】
モバイル・コンピューティング・デバイスに方法を実行させるプログラムであって、前記方法は、
認証プラグイン・ホストと、アクティブ認証プラグインを含む複数の認証プラグインと、認証インターフェースと、チェック・ネットワーク・インターフェースと、定期的更新インターフェースと、を含む拡張可能なフレームワークを提供するステップと、
認証プラグイン・ホストから前記認証インターフェースへの少なくとも１つのコールを受信したことに応答して、前記アクティブ認証プラグインが、前記モバイル・コンピューティング・デバイスが接続されているネットワーク上で前記モバイル・コンピューティング・デバイス又は前記モバイル・コンピューティング・デバイスのユーザーの認証を試みて、前記の試みた認証が成功したかどうかのインジケーションを返すステップと、
１つ又は複数の検知された無線ネットワークに対応する情報を含む、前記チェック・ネットワーク・インターフェースへの少なくとも１つのコールを受信したことに応答して、前記アクティブ認証プラグインが、１つ又は複数の好ましい無線ネットワークに対応する情報と、前記１つ又は複数の好ましい無線ネットワークに関する接続順序と、を返すステップであって、前記１つ又は複数の好ましい無線ネットワークは、前記モバイル・コンピューティング・デバイスにおいて、好ましいものとして指定されている、ステップと、
前記認証プラグイン・ホストから前記定期的更新インターフェースへのコールに応答して、前記アクティブ認証プラグインが、前記アクティブ認証プラグイン自身を更新するステップと、
を含む、プログラム。
【請求項１０】
モバイル・コンピューティング・デバイスであって、
当該モバイル・コンピューティング・デバイスによって実行可能な命令を記憶している１つ又は複数のコンピュータ読み取り可能な記憶媒体を備え、前記命令は、
１つ又は複数の検知されたネットワークに対応する情報をアクティブ認証プラグインへ送信し、接続されているネットワーク上で当該モバイル・コンピューティング・デバイス又は当該モバイル・コンピューティング・デバイスのユーザーの認証要求をすることができる認証プラグイン・ホストと、
少なくとも１つの認証プラグインと、を含み、各認証プラグインは、
１つ又は複数の検知されたネットワークに対応する情報を前記認証プラグイン・ホストから受信したことに応答して、１つ又は複数の好ましい無線ネットワークに対応する情報と、前記１つ又は複数の好ましい無線ネットワークに関する接続順序と、を前記認証プラグイン・ホストに提供し、
接続されている無線ネットワーク上で前記モバイル・コンピューティング・デバイス又は前記モバイル・コンピューティング・デバイスのユーザーを認証し、前記認証が成功したかどうかを示す情報を前記認証プラグイン・ホストへ送信することができる、モバイル・コンピューティング・デバイス。
【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
植物、植物プロトプラストまたは植物細胞において、配列番号２のアミノ酸配列と少なくとも５５％の同一性を有するアミノ酸配列を含む機能性ペクチンエステラーゼタンパク質の発現を障害し、任意選択で植物を再生産する工程を含む、対照植物と比較して改善した耐乾燥性を有する植物の作製方法。
【請求項２】
前記機能性ペクチンエステラーゼタンパク質が、破壊された内在性ペクチンエステラーゼ遺伝子を有するシロイヌナズナＴ−ＤＮＡ挿入株において発現させたときに、破壊された内在性ペクチンエステラーゼ遺伝子を有する前記シロイヌナズナＴ−ＤＮＡ挿入株であって、前記機能性ペクチンエステラーゼタンパク質が発現していない株の耐乾燥性と比較して、耐乾燥性が障害された植物をもたらすタンパク質である、請求項１に記載の方法。
【請求項３】
植物、植物プロトプラストまたは植物細胞において、配列番号１の核酸配列と少なくとも６０％の同一性を有する核酸配列を含む核酸配列によりコードされる機能性ペクチンエステラーゼタンパク質の発現を障害し、任意選択で植物を再生産する工程を含む、対照植物と比較して改善した耐乾燥性を有する植物の作製方法。
【請求項４】
前記機能性ペクチンエステラーゼタンパク質が、破壊された内在性ペクチンエステラーゼ遺伝子を有するシロイヌナズナＴ−ＤＮＡ挿入株において発現させたときに、破壊された内在性ペクチンエステラーゼ遺伝子を有する前記シロイヌナズナＴ−ＤＮＡ挿入株であって、前記機能性ペクチンエステラーゼタンパク質が発現していない株の耐乾燥性と比較して、耐乾燥性が障害された植物をもたらすタンパク質である、請求項３に記載の方法。
【請求項５】
発現を障害する前記工程が、前記機能性ペクチンエステラーゼタンパク質をコードする核酸配列に変異導入することを含む、請求項１〜４のいずれか一項に記載の方法。
【請求項６】
前記核酸配列に変異導入することが、少なくとも１つのヌクレオチドの挿入、欠失および／または置換を伴う、請求項５に記載の方法。
【請求項７】
発現を障害する前記工程が、遺伝子サイレンシングを含む、請求項１〜６のいずれか一項に記載の方法。
【請求項８】
２つ以上の機能性ペクチンエステラーゼタンパク質の発現を障害することを含む、請求項１〜７のいずれか一項に記載の方法。
【請求項９】
改善した耐乾燥性を有する植物から、植物を再生産するまたは植物性産物を作製する工程をさらに含む、請求項１〜８のいずれか一項に記載の方法。
【請求項１０】
シロイヌナズナ以外の植物種における耐乾燥性のスクリーニングにおける、シロイヌナズナ以外の植物における核酸配列であって、シロイヌナズナの配列番号１の核酸配列を有するペクチンエステラーゼタンパク質と類似する、シロイヌナズナ以外の植物種の核酸配列の使用であって、
−シロイヌナズナ種以外の植物種の植物細胞または植物の異型遺伝子性集団（ｈｅｔｅｒｏｇｅｎｉｃ  ｐｏｐｕｌａｔｉｏｎ）を提供する工程、
−前記シロイヌナズナ種以外の植物種のペクチンエステラーゼ配列であって、シロイヌナズナ種のペクチンエステラーゼ配列である配列番号１の類似配列であるペクチンエステラーゼ配列を提供する工程、
−前記シロイヌナズナ種以外の植物種の植物細胞または植物の前記ペクチンエステラーゼ遺伝子の少なくとも一部の配列を判定する工程、
−判定された前記シロイヌナズナ種以外の植物種の植物細胞または植物に由来する前記ペクチンエステラーゼ配列を、提供されたペクチンエステラーゼ配列と比較する工程、および
−前記提供されたペクチンエステラーゼ配列と比較して突然変異を有する前記ペクチンエステラーゼ配列を有する前記シロイヌナズナ種以外の植物種の植物細胞または植物を同定する工程、
を含む使用。
【請求項１１】
シロイヌナズナ植物における耐乾燥性のスクリーニングにおける、配列番号１のペクチンエステラーゼ核酸配列の使用であって、
−シロイヌナズナ種の植物細胞または植物の異型遺伝子性集団（ｈｅｔｅｒｏｇｅｎｉｃ  ｐｏｐｕｌａｔｉｏｎ）を提供する工程、
−配列番号１を有するペクチンエステラーゼ配列を提供する工程、
−前記植物細胞または植物の前記ペクチンエステラーゼ遺伝子の少なくとも一部の配列を判定する工程、
−判定された前記植物細胞または植物に由来する前記ペクチンエステラーゼ配列を、提供されたペクチンエステラーゼ配列と比較する工程、
−前記提供された配列番号１を有するペクチンエステラーゼ配列と比較して突然変異を有する前記ペクチンエステラーゼ配列を有する植物細胞または植物を同定する工程、
を含む使用。
【請求項１２】
機能性ペクチンエステラーゼタンパク質が、破壊された内在性ペクチンエステラーゼ遺伝子を有するシロイヌナズナＴ−ＤＮＡ挿入株において発現させたときに、破壊された内在性ペクチンエステラーゼ遺伝子を有する前記シロイヌナズナＴ−ＤＮＡ挿入株であって、乾燥ストレス条件下で成長する際に前記機能性ペクチンエステラーゼタンパク質が発現していない株の耐乾燥性と比較して、耐乾燥性が障害された植物をもたらすタンパク質であり、前記乾燥ストレス条件により、前記機能性ペクチンエステラーゼタンパク質の発現が障害されていない対照植物、植物細胞または植物性産物が、機能性ペクチンエステラーゼタンパク質の発現が障害された植物、植物細胞、または植物性産物よりも早く乾燥ストレスの徴候、たとえばしおれの徴候を示す、機能性ペクチンエステラーゼタンパク質の発現が障害された植物、植物細胞、または植物性産物の使用。
【請求項１３】
機能性ペクチンエステラーゼタンパク質が、破壊された内在性ペクチンエステラーゼ遺伝子を有するシロイヌナズナＴ−ＤＮＡ挿入株において発現させたときに、破壊された内在性ペクチンエステラーゼ遺伝子を有する前記シロイヌナズナＴ−ＤＮＡ挿入株であって、乾燥ストレス条件下で成長する際に前記機能性ペクチンエステラーゼタンパク質が発現していない株の耐乾燥性と比較して、耐乾燥性が障害された植物をもたらすタンパク質である、機能性ペクチンエステラーゼタンパク質の発現が障害されたトマト、リクチメン、ダイズ、コムギ属種、オオムギ、エンバク、モロコシ、ライムギ、またはセイヨウアブラナ植物、植物細胞、または植物性産物。
【請求項１４】
破壊された内在性ペクチンエステラーゼ遺伝子を含む、請求項１３に記載のトマト、リクチメン、ダイズ、コムギ属種、オオムギ、エンバク、モロコシ、ライムギ、またはセイヨウアブラナ植物、植物細胞、または植物性産物。